(57)【要約】【課題】電線束の分岐部を取付対象物に固定するための固定部材についての当該分岐部に対する取付位置の精度を向上することが可能な技術を提供する。【解決手段】電線束の分岐部に取り付けられ、当該分岐部を取付対象物に固定するための電線束分岐部用固定部材１には、クリップ部２と、棒状部３と、電線固定部４とが設けられている。クリップ部２は、取付対象物の取付穴に係止する。棒状部３は、電線束の分岐部に差し入れられる。電線固定部４に対しては、棒状部３が分岐部に差し入れられた状態において、当該分岐部での複数の電線経路における一つの電線経路にある電線とともにテープが巻き付けられる。【選択図】図１
2013211986.tif 000002
【特許請求の範囲】
【請求項１】
電線束の分岐部に取り付けられ、当該分岐部を取付対象物に固定するための電線束分岐部用固定部材であって、
前記取付対象物の取付穴に係止するクリップ部と、
前記電線束の分岐部に差し入れられる棒状部と、
前記棒状部が前記分岐部に差し入れられた状態において、前記分岐部での複数の電線経路に含まれる第１電線経路にある電線とともにテープが巻き付けられる電線固定部と
を備える、電線束分岐部用固定部材。
【請求項２】
請求項１に記載の電線束分岐部用固定部材であって、
前記棒状部の周りに回転可能な状態で当該棒状部に取り付けられる部品を更に備え、
前記部品には、前記棒状部が前記分岐部に差し入れられた状態において、前記複数の電線経路のうち前記第１電線経路以外の第２電線経路にある電線とともにテープが巻き付けられる、電線束分岐部用固定部材。
【請求項３】
請求項２に記載の電線束分岐部用固定部材であって、
前記棒状部に取り付けられる前記部品と前記電線固定部とを合わせた数は、前記複数の電線経路の数と一致する、電線束分岐部用固定部材。
【請求項４】
電線束と、当該電線束の分岐部に取り付けられた、請求項１乃至請求項３のいずれか一つに記載の電線束分岐部用固定部材とを備えるワイヤーハーネス。
【請求項５】
（ａ）電線束を支持する支持治具を使用して当該電線束の分岐部を形成する工程と、
（ｂ）前記分岐部にテープを巻き付けて当該分岐部を結束するとともに、当該分岐部に対して、当該分岐部を取付対象物に固定するための電線束分岐部用固定部材を取り付ける工程と
を備え、
前記電線束分岐部用固定部材は、
前記取付対象物の取付穴に係止するクリップ部と、
前記分岐部に差し入れられる棒状部と、
前記棒状部が前記分岐部に差し入れられた状態において、前記分岐部での複数の電線経路に含まれる第１電線経路にある電線とともにテープが巻き付けられる電線固定部と
を有し、
前記工程（ｂ）は、
（ｂ−１）前記支持治具で支持された前記分岐部に前記棒状部を差し入れるとともに、前記電線固定部を前記第１電線経路にある電線上に配置する工程と、
（ｂ−２）前記分岐部にテープを巻き付けて当該分岐部を結束する際に、前記分岐部に前記棒状部が差し入れられた状態で前記電線固定部に対して前記第１電線経路にある電線とともにテープを巻き付ける工程と
を有する、ワイヤーハーネスの製造方法。
【請求項６】
請求項５に記載のワイヤーハーネスの製造方法であって、
前記電線束分岐部用固定部材は、前記棒状部の周りに回転可能な状態で当該棒状部に取り付けられた部品を更に有し、
前記工程（ｂ−１）では、前記支持治具で支持された前記分岐部に前記棒状部が差し入れられるとともに、前記電線固定部が前記第１電線経路にある電線上に配置され、さらに、前記部品が前記棒状部の周りに回転させられて前記複数の電線経路のうち前記第１電線経路以外の第２電線経路にある電線上に配置され、
前記工程（ｂ−２）では、前記分岐部にテープが巻き付けられて当該分岐部が結束される際に、前記分岐部に前記棒状部が差し入れられた状態で、前記電線固定部に対して前記第１電線経路にある電線とともにテープが巻き付けられるとともに、前記部品に対して前記第２電線経路にある電線とともにテープが巻き付けられる、ワイヤーハーネスの製造方法。
【発明の詳細な説明】
【技術分野】
【０００１】
本発明は、電線束を取付対象物に固定するための固定部材に関する。
【背景技術】
【０００２】
従来から、電線束を車体パネル等の取付対象物に固定するための固定部材に関して様々な技術が提案されている。例えば特許文献１には、電線束に対してテープで取り付けられる固定部材が開示されている。また特許文献２には、電線束の曲がった箇所を取付対象物に固定するための固定部材が開示されている。また特許文献３には、電線束の分岐部を取付対象物に固定するための固定部材が開示されている。
【先行技術文献】
【特許文献】
【０００３】
【特許文献１】特開平８−１７８１３１号公報
【特許文献２】特開２００８−２９５２８９号公報
【特許文献３】特開２０１０−２６８６０５号公報
【発明の概要】
【発明が解決しようとする課題】
【０００４】
電線束の分岐部を保護するために、当該分岐部に固定部材を取り付けて、当該固定部材によって当該分岐部を取付対象物に固定することがある。このとき、電線束の分岐部に対する固定部材の取付位置の精度が悪いと、車両内等に配索された電線束のある位置で不要なたるみが生じたり、また、別の位置で余長が足りなくなったりといった事態が生じてしまう。したがって、電線束の分岐部に対する固定部材の取付位置の精度はできるだけ良い方が好ましい。
【０００５】
そこで、本発明は上述の点に鑑みて成されたものであり、電線束の分岐部を取付対象物に固定するための固定部材についての当該分岐部に対する取付位置の精度を向上することが可能な技術を提供することを目的とする。
【課題を解決するための手段】
【０００６】
第１の態様に係る電線束分岐部用固定部材は、電線束の分岐部に取り付けられ、当該分岐部を取付対象物に固定するための電線束分岐部用固定部材であって、前記取付対象物の取付穴に係止するクリップ部と、前記電線束の分岐部に差し入れられる棒状部と、前記棒状部が前記分岐部に差し入れられた状態において、前記分岐部での複数の電線経路に含まれる第１電線経路にある電線とともにテープが巻き付けられる電線固定部とを備える。
【０００７】
第２の態様に係る電線束分岐部用固定部材は、第１の態様に係る電線束分岐部用固定部材であって、前記棒状部の周りに回転可能な状態で当該棒状部に取り付けられる部品を更に備え、前記部品には、前記棒状部が前記分岐部に差し入れられた状態において、前記複数の電線経路のうち前記第１電線経路以外の第２電線経路にある電線とともにテープが巻き付けられる。
【０００８】
第３の態様に係る電線束分岐部用固定部材は、第２の態様に係る電線束分岐部用固定部材であって、前記棒状部に取り付けられる前記部品と前記電線固定部とを合わせた数は、前記複数の電線経路の数と一致する。
【０００９】
第４の態様に係るワイヤーハーネスは、電線束と、当該電線束の分岐部に取り付けられた、第１乃至第３の態様のいずれか一つに係る電線束分岐部用固定部材とを備える。
【００１０】
第５の態様に係るワイヤーハーネスの製造方法は、（ａ）電線束を支持する支持治具を使用して当該電線束の分岐部を形成する工程と、（ｂ）前記分岐部にテープを巻き付けて当該分岐部を結束するとともに、当該分岐部に対して、当該分岐部を取付対象物に固定するための電線束分岐部用固定部材を取り付ける工程とを備え、前記電線束分岐部用固定部材は、前記取付対象物の取付穴に係止するクリップ部と、前記分岐部に差し入れられる棒状部と、前記棒状部が前記分岐部に差し入れられた状態において、前記分岐部での複数の電線経路に含まれる第１電線経路にある電線とともにテープが巻き付けられる電線固定部とを有し、前記工程（ｂ）は、（ｂ−１）前記支持治具で支持された前記分岐部に前記棒状部を差し入れるとともに、前記電線固定部を前記第１電線経路にある電線上に配置する工程と、（ｂ−２）前記分岐部にテープを巻き付けて当該分岐部を結束する際に、前記分岐部に前記棒状部が差し入れられた状態で前記電線固定部に対して前記第１電線経路にある電線とともにテープを巻き付ける工程とを有する。
【００１１】
第６の態様に係るワイヤーハーネスの製造方法は、第５の態様に係るワイヤーハーネスの製造方法であって、前記電線束分岐部用固定部材は、前記棒状部の周りに回転可能な状態で当該棒状部に取り付けられた部品を更に有し、前記工程（ｂ−１）では、前記支持治具で支持された前記分岐部に前記棒状部が差し入れられるとともに、前記電線固定部が前記第１電線経路にある電線上に配置され、さらに、前記部品が前記棒状部の周りに回転させられて前記複数の電線経路のうち前記第１電線経路以外の第２電線経路にある電線上に配置され、前記工程（ｂ−２）では、前記分岐部にテープが巻き付けられて当該分岐部が結束される際に、前記分岐部に前記棒状部が差し入れられた状態で、前記電線固定部に対して前記第１電線経路にある電線とともにテープが巻き付けられるとともに、前記部品に対して前記第２電線経路にある電線とともにテープが巻き付けられる。
【発明の効果】
【００１２】
第１乃至第６の態様によれば、固定部材の棒状部を電線束の分岐部の所望位置に差し入れることによって固定部材を分岐部の所望箇所に位置決めした状態で、固定部材をテープで分岐部に取り付けることができる。よって、固定部材についての分岐部に対する取付位置の精度を向上することができる。
【００１３】
特に第２及び第６の態様によれば、固定部材の棒状部の周りに回転可能な状態で当該棒状部に取り付けられ、かつ当該棒状部が分岐部に差し入れられた状態において当該分岐部での電線経路にある電線とともにテープが巻き付けられる部品が設けられていることから、様々な形状の分岐部に対して固定部材をしっかりと取り付けることができる。
【００１４】
特に第３の態様によれば、棒状部に取り付けられる部品と電線固定部とを合わせた数が、分岐部での複数の電線経路の数と一致することから、当該複数の電線経路のそれぞれでの電線を固定部材にテープで固定することができる。よって、固定部材をしっかりと分岐部に対して取り付けることができる。
【００１５】
特に第５の態様によれば、分岐部にテープが巻き付けられて当該分岐部が結束される際に、分岐部に棒状部が差し入れられた状態で電線固定部に対して当該分岐部での電線経路にある電線とともにテープが巻き付けられるため、分岐部を結束すると同時に固定部材を分岐部に取り付けることができる。よって、作業効率が向上する。
【図面の簡単な説明】
【００１６】
【図１】電線束分岐部用固定部材を示す正面図である。
【図２】電線束分岐部用固定部材を示す側面図である。
【図３】電線束分岐部用固定部材を示す上面図である。
【図４】電線束分岐部用固定部材のクリップ部が取付対象物の取付穴に係止している様子を示す図である。
【図５】付属部品を示す平面図である。
【図６】付属部品が取り付けられた電線束分岐部用固定部材を示す正面図である。
【図７】付属部品が取り付けられた電線束分岐部用固定部材を示す上面図である。
【図８】電線束の分岐部の一例を示す図である。
【図９】二つの付属部品が取り付けられた電線束分岐部用固定部材を示す上面図である。
【図１０】分岐部を形成する際に使用される支持治具を示す図である。
【図１１】分岐部が支持治具で支持されている様子を示す図である。
【図１２】分岐部に対して電線束分岐部用固定部材の棒状部が差し入れられた様子を示す図である。
【図１３】分岐部に対して粘着テープが巻かれていく様子を示す図である。
【図１４】分岐部に対して電線束分岐部用固定部材が粘着テープで取り付けられた様子を示す図である。
【図１５】二つの電線固定部が設けられた電線束分岐部用固定部材を示す上面図である。
【図１６】Ｙ型分岐部に対して電線束分岐部用固定部材を取り付ける様子を示す図である。
【図１７】５個の電線経路を有する分岐部に対して電線束分岐部用固定部材を取り付ける様子を示す図である。
【発明を実施するための形態】
【００１７】
図１〜３は、それぞれ、実施の形態に係る電線束分岐部用固定部材１を示す正面図、側面図及び上面図である。図２は、図１に示される電線束分岐部用固定部材１を紙面右側から見た際の側面図である。
【００１８】
本実施の形態に係る電線束分岐部用固定部材１は、複数の電線から成る電線束の分岐部を取付対象物に固定するための部材であって、当該分岐部に取り付けられる。電線束分岐部用固定部材１などが取り付けられた電線束は、ワイヤーハーネスとして自動車等の車両内に配策される。電線束の分岐部は、電線束分岐部用固定部材１によって、例えば車体パネル等に固定される。これにより、電線束の分岐部の位置が固定されて、当該分岐部が周囲と干渉することが抑制される。その結果、電線束の分岐部を保護することができる。以後、電線束分岐部用固定部材１を単に「固定部材１」と呼ぶ。また、「取付対象物」と言えば、固定部材１によって電線束の分岐部が固定される対象物を意味する。
【００１９】
固定部材１は、例えば樹脂で形成されている。固定部材１は、取付対象物の取付穴に係止するクリップ部２と、棒状部３と、電線束の分岐部での電線がテープによって固定される電線固定部４とを備えている。クリップ部２、棒状部３及び電線固定部４は一体成形されている。
【００２０】
棒状部３は、クリップ部２から延びており、先細りの丸棒形状を成している。棒状部３の先端（クリップ部２側とは反対側の端）は丸くなっている。棒状部３は、電線束の分岐部に差し入れられる。より詳細には、棒状部３は、電線束の分岐部での電線間に差し入れられる。
【００２１】
クリップ部２は、係止頭部２０と、皿状部２１と、棒状部３及び電線固定部４に繋がった連結部２２とを備えている。連結部２２は、例えば直方体形状を成している。なお、説明の便宜上、連結部２２の表面を構成する６つの面のうち、図１での下側の面を「底面２２ａ」、図１での上側の面を「上面２２ｂ」、他の４つの面のそれぞれを「側面２２ｃ」と呼ぶ。
【００２２】
連結部２２の底面２２ａには棒状部３の一端が繋がっている。つまり、棒状部３は、連結部２２の底面２２ａから延びている。また連結部２２の一つの側面２２ｃには電線固定部４が繋がっている。
【００２３】
皿状部２１は、連結部２２の上面２２ｂ上において、その皿状表面２１ａが棒状部３とは反対側を向くように配置されている。係止頭部２０は、取付対象物に設けられた取付穴に差し込まれて、当該取付穴に対して、当該取付穴から抜けないように係止する。係止頭部２０は、皿状部２１の皿状表面２１ａの中央部から延びる軸部２００と、当該軸部２００の先端から皿状部２１の方へ折り返された一対の係止羽根部２０１とを備えている。一対の係止羽根部２０１は、軸部２００を間に挟んで互いに対向配置されており、それらの先端部（皿状部２１側の端部）が互いに近づくように弾性変形可能である。一対の係止羽根部２０１のそれぞれの先端部には、係止段部２０２が設けられている。
【００２４】
図４は、クリップ部２が取付対象物３００の取付穴３００ａに係止している様子を示す図である。取付対象物３００は、例えば車体パネルであって、図４では、取付穴３００ａでの取付対象物３００の断面構造が示されている。
【００２５】
クリップ部２の係止頭部２０がその先端から取付対象物３００の取付穴３００ａに差し込まれる際には、係止頭部２０の一対の係止羽根部２０１がそれらの先端部が違いに近づくように弾性変形しながら、取付穴３００ａ内を係止頭部２０が進んでいく。そして、係止頭部２０が取付穴３００ａに差し込まれると、図４に示されるように、一対の係止羽根部２０１の係止段部２０２が、取付対象物３００における、取付穴３００ａの周辺の部分に係止するとともに、一対の係止羽根部２０１と皿状部２１とでその取付穴３００ａの周辺の部分が挟み込まれるようになる。これにより、固定部材１が取付対象物３００に固定される。
【００２６】
クリップ部２の連結部２２に接続された棒状部３は、クリップ部２が取付対象物の取付穴に挿入される際の当該クリップ部２の挿入方向ＤＲ（図１，２参照）に沿って延在している。より具体的には、クリップ部２の挿入方向ＤＲとは１８０°反対の方向に向かって棒状部３は連結部２２から延びている。そして、クリップ部２の先端側から固定部材１を見た場合（固定部材１の上面視）における、クリップ部２の中心と棒状部３の中心とは一致している。言い換えれば、クリップ部２の挿入方向ＤＲとは１８０°反対の方向から固定部材１を見た場合における、クリップ部２の中心と棒状部３の中心とは一致している。したがって、クリップ部２の挿入方向ＤＲに延びる当該クリップ部２の中心軸と、棒状部３の延在方向に延びる当該棒状部３の中心軸とは、一直線上に並ぶことになる。
【００２７】
電線固定部４は、電線束の分岐部での電線とともにテープが巻き付けられる長方形の板状部４０と、板状部４０に巻き付けられたテープがずれて電線固定部４から外れることを防止するための突起部４１とを備えている。電線固定部４では、板状部４０の一方の主面４０ａと、連結部２２の底面２２ａとが同一平面上に位置するように、当該板状部４０の長手方向の一端がクリップ部２の連結部２２の一つの側面２２ｃに繋がっている。突起部４１は、板状部４０の他方の主面４０ｂにおける、当該板状部４０の長手方向の両端部のうち、連結部２２側とは反対側の端部上に設けられている。板状部４０における互いに対向する二つの主面４０ａ，４０ｂは、クリップ部２の挿入方向ＤＲ及び棒状部３の延在方向と垂直を成しており、突起部４１は、板状部４０からクリップ部２側に突出している。
【００２８】
図５は固定部材１の付属部品１０を示す平面図である。付属部品１０は、固定部材１の電線固定部４と同じような構造を有しており、棒状部３に取り付けられる。付属部品１０は、一方向に長い板状部１００と、当該板状部１００の一方の主面１００ｂから突出する突起部１０１とを備えている。板状部１００は、短手方向に沿った一辺が外側に湾曲した長方形を成している。板状部１００における長手方向の一方の端部には、厚み方向に貫通する貫通穴１０２が設けられている。この貫通穴１０２の径は、棒状部３の最も太い部分の径よりも少し大きくなっており、当該貫通穴１０２に棒状部３が挿入できるようになっている。突起部１０１は、板状部１００の一方の主面１００ｂにおける、当該板状部１００の長手方向の両端部のうち、貫通穴１０２側とは反対側の端部上に設けられている。
【００２９】
付属部品１０は、その貫通穴１０２に固定部材１の棒状部３が挿入されることによって、当該棒状部３に取り付けられる。図６，７は、それぞれは、棒状部３に一つの付属部品１０が取り付けられた固定部材１を示す正面図及び上面図である。付属部品１０の貫通穴１０２には、板状部１００の一方の主面１００ｂ側から棒状部３が挿入される。その結果、図６，７に示されるように、付属部品１０は、その突起部１０１が板状部１００からクリップ部２側に突出するように棒状部３に取り付けられる。付属部品１０では、一方の主面１００ｂとそれに対向する他方の主面１００ａとが、クリップ部２の挿入方向ＤＲ及び棒状部３の延在方向と垂直を成している。
【００３０】
また、付属部品１０では、その貫通穴１０２の径が、棒状部３の径よりも大きくなっていることから、棒状部３に取り付けられた付属部品１０は、棒状部３の周りに回転可能となっている。つまり、付属部品１０は、棒状部３の周りに回転可能な状態で棒状部３に取り付けられる。付属部品１０は、図７に示されるように、クリップ部２の先端側から固定部材１を見た場合での時計回りの方向ＡＲ１及び反時計回りの方向ＡＲ２のそれぞれの方向に回転することが可能である。
【００３１】
固定部材１が取り付けられる電線束の分岐部では、幹線から少なくとも一つの支線が分岐している。あるいは、電線束の分岐部では、幹線が複数の支線に分岐している。これにより、電線束の分岐部では３つ以上の電線経路が存在する。各電線経路では、少なくとも一つの電線が存在する。固定部材１の棒状部３に対しては、当該固定部材１が取り付けられる電線束の分岐部での複数の電線経路の数に応じた数の付属部品１０が取り付けられる。
【００３２】
図８は複数の電線５から成る電線束５０の分岐部５００の一例を示す図である。図８に示される分岐部５００はＴ型の分岐部である。分岐部５００では、幹線１５０から一つの支線１５１が分岐している。これにより、分岐部５００では３つの電線経路５１０が存在する。つまり、分岐部５００では、支線１５１が通る電線経路５１０と、幹線１５０のうち支線１５１よりも紙面左側の部分が通る電線経路５１０と、幹線１５０のうち支線１５１よりも紙面右側の部分が通る電線経路５１０とが存在する。３つの電線経路５１０のそれぞれには複数の電線５が存在する。なお、電線経路５１０に存在する複数の電線５についても「電線束」と呼ぶことがある。
【００３３】
図８に示されるようなＴ型の分岐部５００は、図９に示される固定部材１が取り付けられて、当該固定部材１によって取付対象物に固定される。図９に示される固定部材１では、棒状部３に対して二つの付属部品１０が取り付けられている。つまり、固定部材１が取り付けられる分岐部５００での複数の電線経路５１０の数よりも一つ少ない数の付属部品１０が当該固定部材１の棒状部３に取り付けられている。これにより、固定部材１での付属部品１０及び電線固定部４の数と、当該固定部材１が取り付けられる分岐部５００での複数の電線経路５１０の数とが一致する。固定部材１の二つの付属部品１０は、棒状部３の周りに回転させられて分岐部５００での二つの電線経路５１０の電線束の上にそれぞれ配置される。固定部材１の電線固定部４は、分岐部５００での他の一つの電線経路５１０の電線束の上に配置される。各付属部品１０では、板状部１００に対して、当該付属部品１０が配置される、一つの電線経路５１０の電線束とともにテープが巻き付けられる。また、電線固定部４では、板状部４０に対して、当該電線固定部４が配置される、一つの電線経路５１０の電線束とともにテープが巻き付けられる。これにより、固定部材１が電線束５０の分岐部５００に取り付けられる。そして、分岐部５００に取り付けられた固定部材１が上述のようにして取付対象物３００の取付穴３００ａに取り付けられることによって、分岐部５００が取付対象物３００に固定される。
【００３４】
次に、電線束を分岐してから当該電線束の分岐部に対して固定部材１を取り付けるまでの工程について説明する。つまり、電線束の分岐部に対して固定部材１が取り付けられたワイヤーハーネスの製造方法について説明する。以下の説明では、一例として、図８に示される電線束５０の分岐部５００を作成してから、当該分岐部５００に対して図９に示される固定部材１を取り付けるまでの工程について説明する。
【００３５】
電線束５０を分岐してＴ型の分岐部５００を作成する際には、例えば図１０に示されるような、電線束５０を支持する支持治具６が使用される。電線束５０の分岐部５００は、図板（作業板）上において当該電線束５０を布線する際に作製される。支持治具６を含む複数の支持治具が図板上に配置されて、電線束５０は、当該複数の支持治具によって支持されることによって布線される。
【００３６】
図１０に示されるように、支持治具６は、図板に取り付けられる取付部６０と、電線束５０を支持する支持部６２と、取付部６０と支持部６２とを連結する支柱部６１とを備えている。支持部６２は、フォーク状となっており、略Ｌ字状に曲げられた３つの棒状部６２０と、当該３つの棒状部６２０を連結する連結部６２１とを備えている。連結部６２１は支柱部６１上に設けられている。各棒状部６２０は、連結部６２１から一旦横方向に延びてその後上方に延びている。
【００３７】
電線束５０は、支持治具６の複数の棒状部６２０の間に通されるようにして当該支持治具６の支持部６２によって支持される。そして、図１１に示されるように、電線束５０の幹線１５０の一部の複数の電線５が、支持治具６の棒状部６２０を利用して曲げられることによって分岐部５００が作製される。
【００３８】
電線束５０に分岐部５００が形成されると、図１２に示されるように、支持治具６で支持された分岐部５００に対して固定部材１の棒状部３が差し入れられる。このとき、棒状部３は分岐部５００の分岐中心５００ａ（図１１参照）に挿される。これにより、クリップ部２の先端側から固定部材１を見た場合（固定部材１の上面視）におけるクリップ部２の中心は分岐中心５００ａの直上に位置するようになる。言い換えれば、クリップ部２の挿入方向ＤＲに延びる当該クリップ部２の中心軸は、分岐中心５００ａを通るようになる。
【００３９】
また、分岐部５００に固定部材１の棒状部３が差し入れられる際には、図１２に示されるように、固定部材１の電線固定部４が、分岐部５００での一つの電線経路５１０の電線束上に配置される。さらに、固定部材１の二つの付属部品１０が、分岐部５００での他の二つの電線経路５１０上にそれぞれ位置するように棒状部３の周りに回転させられて、当該二つの電線経路５１０の電線束上にそれぞれ配置される。
【００４０】
固定部材１の棒状部３が分岐部５００に差し入れられると、当該分岐部５００を結束して当該分岐部５００の形状を維持するために、図１３に示されるように、当該分岐部５００に対して粘着テープ７が巻かれていく。分岐部５００に粘着テープ７が巻かれていく際には、固定部材１の付属部品１０の板状部１００に対して、当該付属部品１０が配置されている、電線経路５１０の電線束とともに当該粘着テープ７が巻き付けられる。このとき、付属部品１０の突起部１０１には粘着テープ７が巻かれないようにされる。また、分岐部５００に粘着テープ７が巻かれていく際には、固定部材１の電線固定部４の板状部４０に対して、当該電線固定部４が配置されている、電線経路５１０の電線束とともに当該粘着テープ７が巻き付けられる。このとき、電線固定部４の突起部４１には粘着テープ７が巻かれないようにされる。図１４は、分岐部５００に対して粘着テープ７が巻き付けられて当該分岐部５００が結束された様子を示す図である。なお、分岐部５００を結束する際には、１本の粘着テープ７だけを使用しても良いし、複数本の粘着テープ７を使用しても良い。
【００４１】
このように、本実施の形態では、電線束５０の分岐部５００に粘着テープ７を巻き付けて当該分岐部５００を結束する際には、当該分岐部５００に固定部材１の棒状部３が差し入れられた状態で、当該固定部材１の電線固定部４に対して、それが配置されている、電線経路５１０の電線束とともに粘着テープ７が巻き付けられるとともに、当該固定部材１の付属部品１０に対して、それが配置されている、電線経路５１０の電線束とともに粘着テープ７が巻き付けられる。これにより、分岐部５００の結束と、分岐部５００に対する固定部材１の取り付けが同時に行われる。分岐部５００が結束されるとともに、当該分岐部５００に対して固定部材１が取り付けられると、図１４に示されるような、電線束５０及び固定部材１を有するワイヤーハーネスが完成する。このワイヤーハーネスについては、固定部材１のクリップ部２が車体パネル等の取付対象物の取付穴に係止することによって、電線束５０の分岐部５００が当該取付対象物に固定される。上述のように、取付対象物の取付穴に対するクリップ部２の挿入方向ＤＲに延びる当該クリップ部２の中心軸は、分岐部５００の分岐中心５００ａを通っていることから、当該クリップ部２を当該取付穴に係止させることによって、分岐部５００の分岐中心５００ａで当該分岐部５００を取付対象物に固定することができる。これにより、分岐部５００の分岐中心５００ａを基準にしてワイヤーハーネスの各部分（支線など）の長さを設定するような場合には、各部分の長さの寸法精度を向上することができる。
【００４２】
なお、上記の例では、付属部品１０が取り付けられた固定部材１を使用して、電線束５０の分岐部５００を取付対象物に固定していたが、付属部品１０が取り付けられていない固定部材１を使用して分岐部５００を取付対象物に固定しても良い。この場合には、分岐部５００での複数の電線経路５１０のうちの一つの電線経路５１０での電線束とともに固定部材１の電線固定部４に粘着テープ７が巻き付けられることによって、固定部材１が分岐部５００に取り付けられることになる。
【００４３】
また、一つの付属部品１０だけが取り付けられた固定部材１を使用して、電線束５０の分岐部５００を取付対象物に固定しても良い。この場合には、分岐部５００での複数の電線経路５１０のうちの一つの電線経路５１０での電線束とともに固定部材１の電線固定部４に粘着テープ７が巻き付けられ、さらに分岐部５００での複数の電線経路５１０のうちの他の一つの電線経路５１０での電線束とともに固定部材１の一つの付属部品１０に粘着テープ７が巻き付けられることによって、固定部材１が分岐部５００に取り付けられることになる。
【００４４】
また、上記の例では、固定部材１において一つの電線固定部４が設けられているが、複数の電線固定部４を設けても良い。この場合には、電線固定部４と付属部品１０との関係のように、複数の電線固定部４は、固定部材１の上面視において所定の角度を成すように、クリップ部２の連結部２２から外側に延びるように当該連結部２２に接続される。図１５は、上述の図９に示される固定部材１において、一つの付属部品１０の代わりに一つの電線固定部４を設けたものを示している。図１５に示される固定部材１では、二つの電線固定部４がクリップ部２の連結部２２に繋がっており、棒状部３には一つの付属部品１０が取り付けられている。このような固定部材１であっても、図８に示されるＴ型の分岐部５００を取付対象物に取り付けることができる。
【００４５】
以上のように、本実施の形態では、固定部材１の棒状部３を電線束５０の分岐部５００に差し入れた状態で、電線５とともに固定部材１の電線固定部４に粘着テープ７を巻き付けている。したがって、棒状部３を分岐部５００の所望位置（上記の例では分岐中心５００ａ）に差し入れることによって固定部材１を分岐部５００の所望箇所に位置決めした状態で、粘着テープ７で固定部材１を分岐部５００に取り付けることができる。よって、固定部材１についての分岐部５００に対する取付位置の精度を向上することができる。
【００４６】
これに対して、上述の特許文献１に記載されている固定部材のように、仮に固定部材１に棒状部３が設けられていない場合には、固定部材１を分岐部５００上に単に置くことだけしかできず、粘着テープ７で固定部材１を分岐部５００に取り付ける際に固定部材１が分岐部５００の所望箇所からずれる可能性がある。よって、この場合には、固定部材１についての分岐部５００に対する取付位置の精度が低下する。
【００４７】
一方で、棒状部３が設けられていない固定部材１を使用する場合には、図板に取り付けられた位置決め治具を使用して固定部材１を分岐部５００に対して位置決めした状態で、粘着テープで固定部材１を分岐部５００に取り付けることは可能である。しかしながら、この場合には、作業装置が複雑になるとともに、作業効率が低下する。
【００４８】
さらに、位置決め治具を使用する場合には、位置決め治具が分岐部５００を支持する上述の支持治具６の棒状部６２０と干渉する可能性がある。この場合には、分岐部５００は支持治具６から外され、作業者が分岐部５００を手に持った状態で、固定部材１が分岐部５００に対して位置決めされることになる。分岐部５００を作業者が手に持つ場合には、どうしても分岐部５００の位置がずれてしまうことから、位置決め治具を使用したとしても、固定部材１についての分岐部５００に対する取付位置の精度が低下してしまう。
【００４９】
本実施の形態では、棒状部３を分岐部５００の所望位置に差し入れることによって固定部材１を分岐部５００の所望箇所に位置決めした状態で、粘着テープ７で固定部材１を分岐部５００に取り付けることができることから、固定部材１についての分岐部５００に対する取付位置の精度を簡単に向上することができる。
【００５０】
また、位置決め治具が支持治具６と干渉する場合には、分岐部５００の形状が乱れないように、分岐部５００を粘着テープで結束した後に当該分岐部５００を支持治具６から外す必要がある。したがって、この場合には、分岐部５００を結束した後に、粘着テープで固定部材を分岐部５００に取り付けることになる。
【００５１】
これに対して、本実施の形態では、分岐部５００に粘着テープ７を巻き付けて分岐部５００を結束する際に、分岐部５００に棒状部３を差し入れた状態で電線５とともに電線固定部４に粘着テープ７を巻き付けることができることから、分岐部５００を結束すると同時に固定部材１を分岐部５００に取り付けることができる。よって、作業工数が低減し、作業効率が向上する。
【００５２】
また、本実施の形態では、固定部材１の棒状部３の周りに回転可能な状態で当該棒状部３に取り付けられる付属部品１０が設けられているため、様々な形状の分岐部５００に対して固定部材１をしっかりと取り付けることができる。
【００５３】
図１６はＹ型の分岐部５００に対して固定部材１が取り付けられる様子を示す図である。図１６に示されるように、Ｙ型の分岐部５００に対して、二つの付属部品１０が取り付けられた固定部材１が取り付けられる場合には、固定部材１の上面視において、電線固定部４及び二つの付属部品１０がＹ型となるように、当該二つの付属部品１０が棒状部３の周りに回転させられて、各付属部品１０が分岐部５００での一つの電線経路５１０での電線束上に配置されるとともに、電線固定部４が分岐部５００での一つの電線経路５１０での電線束上に配置される。そして、分岐部５００を結束するために当該分岐部５００に粘着テープ７が巻き付けられる。このとき、各付属部品１０に対してそれが配置された、電線経路５１０の電線束とともに粘着テープ７が巻き付けられるとともに、電線固定部４に対してそれが配置された、電線経路５１０の電線束とともに粘着テープ７が巻き付けられる。これにより、Ｙ型の分岐部５００に固定部材１が取り付けられる。このように、付属部品１０の角度を調整することによって、Ｔ型の分岐部５００を取付対象物に固定する際に使用した同じ固定部材１を使用して、Ｙ型の分岐部５００を取付対象物に固定することができる。
【００５４】
図１７は５個の電線経路５１０を有する分岐部５００に対して固定部材１が取り付けられる様子を示す図である。図１７に示される固定部材１では、棒状部３に対して４つの付属部品１０が取り付けられている。分岐部５００に対して、４つの付属部品１０が取り付けられた固定部材１が取り付けられる場合には、各付属部品１０が棒状部３の周りに回転させられて、各付属部品１０が分岐部５００での一つの電線経路５１０での電線束上に配置されるとともに、電線固定部４が分岐部５００での一つの電線経路５１０での電線束上に配置される。そして、分岐部５００を結束するために当該分岐部５００に粘着テープ７を巻き付けられる。このとき、付属部品１０に対してそれが配置された、電線経路５１０の電線束とともに粘着テープ７が巻き付けられるとともに、電線固定部４に対してそれが配置された、電線経路５１０の電線束とともに粘着テープ７が巻き付けられる。これにより、５個の電線経路５１０を有する分岐部５００に対して固定部材１が取り付けられる。このように、Ｔ型あるいはＹ型の分岐部５００を取付対象物に固定する際に使用した固定部材１に対して二つの付属部品１０を追加することによって、５個の電線経路５１０を有する分岐部５００を取付対象物に固定することが可能となる。
【００５５】
本実施の形態のように、固定部材１に設けられた電線固定部４と、当該固定部材１の棒状部３に取り付けられた付属部品１０とを合わせた数を、当該固定部材１が取り付けられる分岐部５００での複数の電線経路５１０の数と一致させる場合には、当該複数の電線経路５１０のそれぞれでの電線５を固定部材１に粘着テープで固定することができる。したがって、固定部材１をよりしっかりと分岐部５００に対して取り付けることができる。
【符号の説明】
【００５６】
１  電線束分岐部用固定部材
２  クリップ部
３  棒状部
４  電線固定部
５  電線
７  粘着テープ
１０  付属部品
５０  電線束
３００  取付対象物
３００ａ  取付穴
５００  分岐部
５１０  電線経路
【図１】
2013211986.tif 000003
【図２】
2013211986.tif 000004
【図３】
2013211986.tif 000005
【図４】
2013211986.tif 000006
【図５】
2013211986.tif 000007
【図６】
2013211986.tif 000008
【図７】
2013211986.tif 000009
【図８】
2013211986.tif 000010
【図９】
2013211986.tif 000011
【図１０】
2013211986.tif 000012
【図１１】
2013211986.tif 000013
【図１２】
2013211986.tif 000014
【図１３】
2013211986.tif 000015
【図１４】
2013211986.tif 000016
【図１５】
2013211986.tif 000017
【図１６】
2013211986.tif 000018
【図１７】
2013211986.tif 000019